(57)【特許請求の範囲】
【請求項１】
通貨と等価な有価データと固有のＩＤ番号が記録され、発行時から所定期間は、その発行店舗内でのみ有効となるプリペイドカードと、
このプリペイドカードの挿入により遊技媒体を貸し出す遊技媒体貸出機と、
複数の遊技店を管理できるように構成され、少なくとも前記所定の期間を経過したプリペイドカードのＩＤ番号と残額情報を管理する管理コンピュータと、
前記所定期間がすぎた前記プリペイドカードに残額がある場合には、前記プリペイドカードの残額データを別の更新カードに印字と磁気記録するとともに、受け入れたプリペイドカードのデータを前記管理コンピュータへ問い合わせ、前記管理コンピュータで更新してもよいと判断されて、更新ＯＫを含む電文を受信したときに前記更新カードを排出し、前記管理コンピュータで更新不可と判断された場合は、前記更新カードの印字記録を無効にして回収するとともに受け入れた前記プリペイドカードを返却するカード更新機と
を具備したことを特徴とする遊技場における更新カード発行システム。
【請求項２】
前記管理コンピュータは、
店舗の外部に設けられ、各店舗で使用された全てのプリペイドカードのデータを毎日蓄積することにより、データの確認を行うことができるようにした
ことを特徴とする請求項１記載の更新カード発行システム。
【請求項３】
前記管理コンピュータは、
異常の発生により前記カード更新機から更新削除要求があったとき、更新情報を削除するように構成されている
ことを特徴とする請求項１または請求項２に記載の遊技場における更新カード発行システム。
【発明の詳細な説明】
【０００１】
【発明の属する技術分野】
本発明は、更新カード発行システムに係り、パチンコ店等の遊技店において、プリペイドカードの更新を可能としたシステムに関する。
【０００２】
【従来の技術】
従来、例えばパチンコ店におけるカードシステムにおいては、予め顧客がプリペイドカードを購入し、そのカードを用いて顧客がパチンコ台の横に設置された玉貸機にカードを挿入し、玉貸ボタン（一般には、パチンコ台の方に設けられている）を１回押すと、予め設定された金額分、例えば３００円分（この金額単位は店によって異なることもあり叉、顧客が自由に設定するようなタイプの玉貸機もある。）の玉がパチンコ台の上皿に出てくる。カードの残額がなくなるまで玉貸ボタンにより玉を借りることができ、途中でやめたいときには、カード返却ボタン（これもパチンコ台に設けられている）を押すと、残額が記録されてカードが返却されるようになっている。
【０００３】
プリペイドカードの金額は、１万円、５０００円、３０００円、１０００円等のものが一般的である。
【０００４】
【発明が解決しようとする課題】
しかしながら、このカードシステムは、プリペイドカードをどの店に持っていっても使えるようにして顧客の便を図った反面、カードの偽造が横行し、大きな社会的問題となっている。
【０００５】
また、これを防ぐカードシステムも提案されている。例えば特開昭６１−１４３０８５号公報がある。このシステムではカード１枚毎にＩＤ番号をとり、偽造防止を図っている。しかし、このシステムでは、カードの使用は１つの店舗内に限られ、カードに残額があった場合でも、他の店で使用することができないという不便がある。
【０００６】
本発明は上記問題点に鑑みなされたもので、所定期間内は、発行した店舗でのみの使用となるが、所定期間を過ぎた場合には、他の店でも使用できるように更新カードを発行して顧客の便を図るようにしたことを目的とする。また、更新時にカードデータのチェックを行なうことにより、偽造を防止することができ、しかも、更新時には更新カードの印字及び記録を行なうと同時に管理コンピュータにデータの確認を問い合わせるようにして、更新に要する時間を短縮することのできる更新カード発行システムを提供することを目的とする。
【０００７】
【課題を解決するための手段】
本発明の遊技場における更新カード発行システムは、通貨と等価な有価データと固有のＩＤ番号が記録され、発行時から所定期間は、その発行店舗内でのみ有効となるプリペイドカードと、このプリペイドカードの挿入により遊技媒体を貸し出す遊技媒体貸出機と、複数の遊技店を管理できるように構成され、少なくとも前記所定の期間を経過したプリペイドカードのＩＤ番号と残額情報を管理する管理コンピュータと、前記所定期間がすぎた前記プリペイドカードに残額がある場合には、前記プリペイドカードの残額データを別の更新カードに印字と磁気記録するとともに、受け入れたプリペイドカードのデータを前記管理コンピュータへ問い合わせ、前記管理コンピュータで更新してもよいと判断されて、更新ＯＫを含む電文を受信したときに前記更新カードを排出し、前記管理コンピュータで更新不可と判断された場合は、前記更新カードの印字記録を無効にして回収するとともに受け入れた前記プリペイドカードを返却するカード更新機とを具備したことを特徴とする。
【０００８】
望ましくは、前記管理コンピュータは、店舗の外部に設けられ、各店舗で使用された全てのプリペイドカードのデータを毎日蓄積することにより、データの確認を行うことができるようにしたことを特徴とする。
【０００９】
また、望ましくは、前記管理コンピュータは、異常の発生により前記カード更新機から更新削除要求があったとき、更新情報を削除するように構成されていることを特徴とする。
【００１０】
【発明の実施の形態】
図１１に一例を示すようなプリペイドカードは発行日から所定期間（例えば８日間、ここでは、この所定期間のことを、有効期限と表示している。）は、その発行店でしか使用できないが、それを過ぎると一定期限内（例えば発行日から１ヶ月以内）であれば、カードに残額がある場合は、その残額分を再発行できるようにしている。その際、他の店で発行したカードであっても再発行（更新）を可能としている。そのしくみは、各店が毎日、１日の営業終了時点でその店で使用されたプリペイドカードの全てについて、ＩＤ番号と残額とを管理コンピュータにデータ送信し、管理コンピュータでは、各店の全データをチェックし蓄積していく。更新時には、自店のカードでも他の店のカードでも管理コンピュータにデータを確認し、ＯＫであれば更新発行を行なう。このとき、最初の発行時と同様に、再度所定期間と一定期限が設定される。尚、図示していないが、カード裏面には磁気ストライプを有し、磁気記録がなされている。
【００１１】
カードの更新時には、古いカードからデータを読取り、一旦、そのデータにもとづいて新しいカードに印字と磁気記録とを行ない、同時に管理コンピュータに古いカードのデータを問い合わせる。そしてデータが改竄されていたり、コピーされて既に更新発行されていた等の異常時の場合には、既に印字及び磁気記録されていた更新カードに、印字が無効であることを意味するマークを上書き印字するとともに磁気データにはすべて、０を書込み、更新カードを回収して、古いカードは返却する。（古いカードを返却しないで取り込むようにしてもよい。）
データがＯＫのときには、既に印字及び磁気記録されていた更新カードを即、排出し、古いカードは回収して磁気データを無効にする。
【００１２】
【実施例】
以下、本発明の一実施例を図面を参照しつつ詳細に説明する。図１および図２は本発明の遊技媒体供給システムの概略を示す概略図およびシステムブロック図である。この装置では、センター１を中心にしてこのセンターの管理コンピュータ２に公衆回線網３を介して接続された各遊技店にターミナルコントローラ１０が設けられ、これらには複数の島が接続され、各島は島コントローラ４０によって制御される複数の遊技ユニット５０と、プリぺイドカードの販売を行う券売機２０と、プリペイドカードの更新をおこなうカード更新機３０とで構成されている。通常、各遊技店には１台程度のカード更新機３０が設けられ、最初のカード発行日から８日間の有効期限がきれてかつカード発行日から１ヶ月以内の場合に、この更新機３０にカードを挿入すると、カードのＩＤ番号及びカードのデータが管理コンピュータで照合され、ＯＫのときには残額分を当初度数とする新しいカードが発行される（第３図参照）。このとき新しい８日間の有効期限が記録される。尚、発行日から８日間以内は、そのカードの発行店でのみ通用し、それ以降はこのシステムを導入している他店でも更新機にカードを入れることにより、その店で遊技することができる。更新は繰り返して行なえる。また、この遊技ユニット５０は通貨と等価な有価データの記録されたプリぺイドカードから有価データの読み書きを行うとともに遊技者による遊技台への遊技媒体の貸し出し要求に基づき、有価データの範囲内で、前記遊技媒体を貸し出すように構成されたカードユニット（ＣＲユニット）７０と、遊技台６０とで構成され、各構成要素はＬＡＮ（ローカルエリアネットワーク）で接続され、互いにデータ交換を行うことができるようになっている。尚、遊技ユニット５０が第１の発明の遊技媒体貸出機に対応する。
【００１３】
そしてターミナルコントローラ１０は、システム全体の制御を行う制御部とメモリとディスプレイなどの表示部と、キーボード、プリンタなどの入出力部とから構成されている。そしてこのターミナルコントローラは、センター１の管理コンピュータ２と公衆回線網３で接続されており、この管理コンピュータ２を用いてターミナルコントローラ１０内のデータを管理できるようになっている。
【００１４】
また券売機２０は、このシステムを導入している店舗のみ（但し、発行店以外では、前述したような条件を満たす場合のみ使用可能）使用することのできる「ハウスカード」を販売する。尚、本実施例では、カード発行時にカード１枚毎に固有のＩＤ番号を付与しカードのデータはターミナルコントローラで一括管理している。
【００１５】
そしてカード更新機３０は、図４に外観正面図を示すように、筐体の表面パネルの上部にＬＣＤなどの発光体を内蔵した外部表示部３１が設けられ、カード挿入可能時に点灯し、アラーム発生時や管理用コンピュータと未接続のときに点滅するようになっている。その下には操作扉３２が設けられている（全体の扉を開けなくてもこの操作扉のみ開けて係員が各種操作をすることができる）。そしてさらにその下にはカード挿入表示部３３、カード挿入口３４、カード払い出し表示部３５、カード出口３６が設けられている。
そして図５は全体の扉を開いた状態を示す図であり、上から外部表示部３１、操作部３７、カードリーダ部３８、回収ボックス３９、制御部４１、更新ユニット３０ｄ、電源４２、サブコントローラ４３、外部出力部４４が配設されている。尚、カードの磁気データが何らかの原因により装置で読めなくなった場合には、このカード更新機３０を用いてカードを再発行することができる。つまり、顧客が係員に申し出ると、係員は図４の操作扉３２を開け、操作部３７を操作してカードに印字されたＩＤ番号を入力することによりターミナルコントローラ１０でそのＩＤをチェックし、ＯＫならばそのＩＤのカードの残額分を再発行できる。この際、実際に存在しない番号あるいは現在遊技中の番号等、不正な番号が入力された場合、３回続けてＮＧとなると更新機はエラーダウンし、係員による不正発行を防止する。
【００１６】
さらにこのプリぺードカード用の更新機３０は図６に制御系の機能ブロック図を示すように、演算処理を行うＣＰＵ３０ａと、制御プログラムや制御データを記憶するＲＯＭ３０ｂと、ＲＡＭ３０ｃと、実際の更新操作を行う更新ユニット３０ｄと、島コントローラ４０を介してターミナルコントローラ１０とのデータ通信を行う通信インターフェース３０ｅと、挿入されたプリペイドカードを受入れ搬送して磁気データを読み取るとともにこのカードを回収ボックス３９へ回収したりあるいはカード挿入口３４へカードを返却するカード受入・回収返却部３０ｇとを具備している。
【００１７】
図７は更新ユニット３０ｄの一例を示す断面図であり、磁気ロール紙をローラからなる搬送部Ｃを介してカッタで所望の大きさにカットし、磁気ヘッドＡで磁気データの書き込みを行い、プリンタＢの印字部で、印字を行う。一方回収する場合にはリジェクトスタッカ３０ｆによって回収される。ここで３６は更新されたカードの出口である。
【００１８】
次に、本発明実施例のシステムの動作について説明する。
図８は本発明にかかるプリペイドカード更新機の操作を示すフローチャートである。
更新機では、カードが挿入されたかどうかの判断を行い（ステップ１０１）、カードが挿入されたと判断された場合には、カードリーダ部３８の磁気ヘッドを用いて当該カードにかかれている磁気データの読取りを行う（ステップ１０２）。そしてまず正規のカードであるか否かの判断を行い（ステップ１０３）、正規のカードでないと判断された場合にはカードを返却する（ステップ１０４）。  一方、正規のカードであると判断された場合には、残額があるか否かの判断を行い（ステップ１０５）、残額がないと判断された場合にはカードを返却する（ステップ１０４）。
また、残額があると判断された場合は、有効期限を過ぎているか否かの判断を行い（ステップ１０６）、あらかじめ決められた有効期限（発行日から８日）を過ぎていないと判断された場合は更新無用であるとしてカードを返却する（ステップ１０４）。
有効期限を過ぎていると判断された場合には、発行日からあらかじめ決められた一定期限（３０日）以内であるか否かの判断がなされ（ステップ１０７）、３０日を過ぎていれば、更新不能であるとしてカードを返却する（ステップ１０４）。
【００１９】
発行日から３０日以内であると判断された場合には更新カードに印字記録を行い、同時にセンター１の管理コンピュータ２に更新要求を行う（ステップ１０８）。各遊技店内のターミナルコントローラ１０では有効期限内のデータしか蓄積していないため、この有効期限をすぎたカードであれば同じ店舗内の券売機２０で発行されたカードであっても必ず、センター１の管理コンピュータ２に問い合わせの電文（更新前各種情報と更新後各種情報とを暗号化した電文）をデータとして送ることになる。
【００２０】
一方、センターの管理コンピュータ２は送信されてきた電文のデータと、蓄積されているデータとを照合し、更新してもよいか否かの判断を行う（ステップ１０９）。そして通信エラーも登録エラーもなく更新してもよいと判断された場合は、登録情報を書き換えるとともに、センターから更新ＯＫを含む電文が送信され更新機はこれを受信する（ステップ１１０）。そしてカードユニットのＣＰＵはこの応答電文と、更新カードに既におこなったカード印字および磁気ライトが正常に終了しているか否かの判断を行い（ステップ１１１）、正常でなければセンターの管理コンピュータ２に更新削除要求を行う（ステップ１１２）。ここで正常でないとは、電文のレスポンスに異常があるかまたは更新カードに既におこなったカード印字および磁気ライトが正常に終了していないかの場合である。そして削除ＯＫであるか否かの判断を行い（ステップ１１３）、削除ＯＫであれば更新カードを無効処理し、回収して旧カードの返却を行う（ステップ１１５）。
【００２１】
また判断ステップ１１１でデータが正常であると判断された場合、すなわち、電文のレスポンスが正常であってかつカード印字および磁気ライトが正常に終了している場合には、カード出口３６に、更新カードの排出を行うと共にさらに旧カードの無効処理および回収ボックス３９への取込みを行う（ステップ１１６）。
【００２２】
次に、カード更新機の動作について説明する。
図９に示すように、カード更新機の電源がオンとなると、まずハードの初期化を行う（ステップ２０１）。そして更新登録の途中であるか否かを更新完了フラグの有無により判断し（ステップ２０２）、途中であると判断された場合には、エラーダウンとし係員にメッセージを送る（ステップ２０３）。そしてリセット操作を行い（ステップ２０４）、センターの管理コンピュータに更新削除要求を行うべく、更新削除要求電文を送る（ステップ２０５）。
そしてセンターの管理コンピュータは応答の電文をカード更新機に送り、更新機は、センターからの応答結果が正常であるか否かの判断を行い（ステップ２０６）、通信異常である場合にはエラーダウンとする（ステップ２０７）。
また応答結果が正常であるかあるいは更新前データなしと判断された場合には新旧カードが残留しているか否かの判断を行い（ステップ２０８）、残留している場合には、旧カードの返却を行うと共にさらに更新カードの無効処理およびリジェクトスタッカ３０ｆへの回収を行い（ステップ２０９）、待機状態となる（ステップ２１０）。図１０は無効処理のなされた更新カードを示す図である。図３に示した更新カードのデータ印字領域に×印がつけられている。ここで応答結果が正常であるとは、停電前に更新登録をセンターに要求し、センターでデータを書き換えた後、登録ＯＫの電文を更新機に送信する途中で停電になった場合であり、また応答結果が更新前データなしとは更新登録をセンターへ要求する途中で停電になった場合、すなわち、削除要求を送信してもセンターでは該当データがないということになる。一方、判断（ステップ２０８）で新・旧カードが残留していないと判断された場合にはそのまま待機状態となる（ステップ２１０）。
【００２３】
尚、上記実施例では、プリペイドカードには発行金額と残額（表示は発行金額に対する割合）を記録していたが、これにかえて、遊技媒体の個数を記録（表示）するようにしてもよい。
【００２４】
また、本発明ではカード更新機を独立して設けたが、券売機２０と一体にして、カード販売及びカード更新を１台で行なえるようにしてもよい。
【００２５】
また、カード更新時、旧カードを回収して新しいカードを発行するようにしたが、券売機２０でリサイクルカードを販売すればカード更新の際、挿入されたリサイクルカードにデータを更新印字記録して返却することが可能となる。
【００２６】
【発明の効果】
以上説明したように、本発明では、所定期間内は、発行した店舗でのみの使用となるが、所定期間を過ぎた場合には、他の店でも使用できるように更新カードを発行して顧客の便を図るとともに、更新時にカードデータのチェックを行なうことにより、偽造を防止することができ、しかも、更新時には更新カードの印字及び記録を行なうと同時に管理コンピュータにデータの確認を問い合わせるようにして、更新に要する時間を短縮することが可能となる。
【図面の簡単な説明】
【図１】本発明実施例で用いられる処理システムを示す図
【図２】同システムの機能ブロック図
【図３】更新カードを示す図
【図４】更新機の外観正面図
【図５】更新機の扉をあけた状態を示す正面図
【図６】更新機の制御系の機能ブロック図
【図７】更新ユニットを示す図
【図８】本発明実施例のシステムの動作を示すフローチャート図
【図９】本発明実施例のシステムの動作を示すフローチャート図
【図１０】本発明実施例の装置で形成した更新カードを示す図
【図１１】本発明実施例の装置で形成したプリペイドカード（発行時のカード）を示す図
【符号の説明】
１０  ターミナルコントローラ
２０  券売機
３０  カード更新機
４０  島コントローラ
５０  遊技ユニット
６０  遊技台
Ａ  磁気ヘッド
Ｂ  プリンタ
Ｃ   カード搬送制御部
７０  カードユニット
３０ａ  ＣＰＵ
３０ｂ  ＲＯＭ
３０ｃ  ＲＡＭ
３０ｄ  更新ユニット
３０ｅ  通信インターフェース
【図１】
0003712475.tif 000002
【図２】
0003712475.tif 000003
【図３】
0003712475.tif 000004
【図４】
0003712475.tif 000005
【図５】
0003712475.tif 000006
【図６】
0003712475.tif 000007
【図７】
0003712475.tif 000008
【図８】
0003712475.tif 000009
【図９】
0003712475.tif 000010
【図１０】
0003712475.tif 000011
【図１１】
0003712475.tif 000012